(57)【要約】【課題】外観が良好であって、抽出物による目詰まりを防止でき、かつまた蓋体を閉じている状態ではキャップ本体内部が外部と直接連通されることのないキャップを提供する。【解決手段】キャップ本体４の側壁となる外筒部１５に、これを貫通させて貫通孔２９を形成するとともに、キャップ本体４とこれに回動自在に連結される蓋体５との間に、蓋体５で容器本体２の抽出口３を閉じている状態で、貫通孔２９とキャップ本体４および蓋体５間の空隙Ｓとを連通させる液密な流水路３０を形成する封鎖手段３１を設けた。【選択図】          図４
2004250078.tif 000002
【特許請求の範囲】
【請求項１】
容器本体上部に、その抽出口周囲を取り囲んで被せられる筒体状のキャップ本体と、該キャップ本体上に、それとの間に空隙を形成しつつ重ね合わされて、該容器本体の抽出口を開閉自在に閉じる蓋体と、該蓋体を該キャップ本体に回動自在に連結するヒンジと、該空隙へ向かって該蓋体を貫通する一対のスリットによって該蓋体にその一端が形成されかつ他端が該キャップ本体に連結され、弾性変形されて該ヒンジ回りに該蓋体を回動させる弾性片とを有し、該容器本体を倒立状態に支持しつつ、該容器本体との間から該キャップ本体の内部に流入した水を該スリットから外部へ流出させるようにしたキャップにおいて、
上記キャップ本体の側壁に、これを貫通させて貫通孔を形成するとともに、上記キャップ本体と上記蓋体との間に、該蓋体で上記抽出口を閉じている状態で上記貫通孔と上記空隙とを連通させる液密な流水路を形成する封鎖手段を設けたことを特徴とするキャップ。
【発明の詳細な説明】
【０００１】
【発明の属する技術分野】
本発明は、外観が良好であって、抽出物による目詰まりを防止でき、かつまた蓋体を閉じている状態ではキャップ本体内部が外部と直接連通されることのないキャップに関する。
【０００２】
【従来の技術】
従来、各種の容器、特にチューブ容器の中には、これを逆さまに立てて置くことができるようにしたものが知られていて、このようにすることで容器を横に寝かせて置いておくよりも、場所をとらないという利点がある。
【０００３】
このような容器に採用されるキャップはおおよそ、容器本体上部に、その抽出口周囲を取り囲んで被せられる筒体状のキャップ本体と、キャップ本体上に、それとの間に空隙を形成しつつ重ね合わされて、容器本体の抽出口を開閉自在に閉じる蓋体と、蓋体をキャップ本体に回動自在に連結するヒンジと、空隙へ向かって蓋体を貫通する一対のスリットによって蓋体にその一端が形成されかつ他端がキャップ本体に連結され、弾性変形されてヒンジ回りに蓋体を回動させる弾性片とを備えて構成され、容器本体を逆さまにしてこのキャップを載置面上に設置することで、容器本体を倒立状態に支持することができるようになっている。
【０００４】
ところが、このような容器を洗面所や浴室などの水場で使用し、使い終わった後、倒立させて置いておくと、容器本体に付着している水がその表面を伝って流下し、容器本体とこれに被せたキャップ本体との間から流れ込んで、当該キャップ本体内部に溜まってしまうという不具合があった。
【０００５】
このような不具合を解消する目的で、容器本体との間からキャップ本体の内部に流入した水を、蓋体のスリットから外部へ流出させる構造を有するキャップが、例えば特許文献１や特許文献２に開示されている。
【０００６】
特許文献１では、３点ヒンジ形の弾性反転形キャップのキャップ本体が、小径の取付け用周壁と、大径の意匠周壁と、これら周壁間に位置し、抽出孔が形成された頂壁とを含み、頂壁部分に小孔を開け、この小孔から天蓋の弾性反転板両側の隙間を通して、キャップ本体内に回り込んだ水を外部に排出するようにしている。
【０００７】
特許文献２では、キャップ本体を頂板、内筒および外筒から構成し、キャップ本体に、左右一対の連結片と略Ｌ字状ばね片とからなる反転ヒンジを介して開閉自在に蓋体を連結し、外筒の上部周壁部であって反転ヒンジの両連結片の間の部分に切欠穴を設けるとともに、閉蓋時にばね片の左右両側縁と蓋体との間に切欠穴と連通する空隙を設けるようにしている。
【０００８】
【特許文献１】
実開平５−７２７４７号公報
【特許文献２】
実開平６−１８２６３号公報
【０００９】
【発明が解決しようとする課題】
ところで、上記特許文献１にあっては、頂壁部分に小孔を開けるようにしていたため、天蓋を開いたときに、頂壁部分に抽出孔と隣接して小孔が見えてしまい、特に小孔周辺は水の出入りのために汚れやすいこともあって、外観上好ましくないとともに、抽出孔から抽出物を拭い取る際などに、抽出物で小孔に目詰まりを生じさせるおそれがあるという課題があった。
【００１０】
また特許文献２にあっては、外筒に外部と直接連通する形態で、切欠穴を形成するようにしていたため、蓋体を開いているときはともかく、蓋体を閉じている不使用時でさえ、この切欠穴を介して水が直接外筒内に流入してしまうおそれがあるという課題があった。
【００１１】
本発明は上記従来の課題に鑑みて創案されたものであって、外観が良好であって、抽出物による目詰まりを防止でき、かつまた蓋体を閉じている状態ではキャップ本体内部が外部と直接連通されることのないキャップを提供することを目的とする。
【００１２】
【課題を解決するための手段】
本発明にかかるキャップは、容器本体上部に、その抽出口周囲を取り囲んで被せられる筒体状のキャップ本体と、該キャップ本体上に、それとの間に空隙を形成しつつ重ね合わされて、該容器本体の抽出口を開閉自在に閉じる蓋体と、該蓋体を該キャップ本体に回動自在に連結するヒンジと、該空隙へ向かって該蓋体を貫通する一対のスリットによって該蓋体にその一端が形成されかつ他端が該キャップ本体に連結され、弾性変形されて該ヒンジ回りに該蓋体を回動させる弾性片とを有し、該容器本体を倒立状態に支持しつつ、該容器本体との間から該キャップ本体の内部に流入した水を該スリットから外部へ流出させるようにしたキャップにおいて、上記キャップ本体の側壁に、これを貫通させて貫通孔を形成するとともに、上記キャップ本体と上記蓋体との間に、該蓋体で上記抽出口を閉じている状態で上記貫通孔と上記空隙とを連通させる液密な流水路を形成する封鎖手段を設けたことを特徴とする。
【００１３】
本発明にあっては、キャップ本体の側壁に貫通孔を形成する一方で、封鎖手段により、当該貫通孔と空隙とを連通させる液密な流水路を形成するようにしていて、このように貫通孔をキャップ本体の側壁に形成していることから、蓋体を開いたときに貫通孔やその周りに付着し得る汚れがあまり目立つことがなく、良好な外観を得ることが可能であるとともに、抽出口から抽出物を拭い取る操作で抽出物が貫通孔まで達する可能性を少なくすることができて、貫通孔が抽出物で目詰まりすることを防止し得る。
【００１４】
さらに、蓋体で抽出口を閉じている状態では、封鎖手段により貫通孔と空隙とを連通させる液密な流水路が形成されるようにしていて、これにより蓋体を閉じている状態では、貫通孔を介してキャップ本体内部が外部と直接連通されないようにして、キャップ本体内部への水の流入を阻止し得る。
【００１５】
【発明の実施の形態】
以下に、本発明にかかるキャップの好適な一実施形態を、添付図面を参照して詳細に説明する。本実施形態にかかるキャップ１は図１〜図４に示すように、主に、チューブ容器などの容器本体２の上部に、当該容器本体２の抽出口３周囲を取り囲んで被せられるキャップ本体４と、容器本体２の抽出口３を開閉自在に閉じる蓋体５と、ヒンジ６および弾性片７から構成されて、蓋体５をキャップ本体４に対して回動させるヒンジ機構８とが合成樹脂材により一体成形されて形成される。
【００１６】
容器本体２は、抽出物を収容する筒体状の胴部９と、この胴部９上に、当該胴部９の外径よりも次第に縮径させて錐体状に形成された肩部１０と、肩部１０上に形成され、内部に抽出物を取り出すための抽出口３が形成された首部１１とから構成される。
【００１７】
キャップ本体４は、首部１１上に配置される頂板１２と、頂板１２の下面から首部１１周囲を取り囲むように垂下され、当該首部１１にこれとの間に形成された係止部１３を介して係止される内筒部１４と、頂板１２の外側に、その外周縁を取り囲んでかつ肩部１０へ向かって垂下され、キャップ本体４の側壁を形成して当該キャップ本体４を筒体状とする外筒部１５とから構成される。頂板１２の中央部には、下面から突出させて抽出口３内周に圧接される差込部１６と、その上面から突出させて隆起部１７が形成され、頂板１２を貫通して隆起部１７から差込部１６にわたって抽出孔部１８が形成される。
【００１８】
そしてこのキャップ本体４は、抽出孔部１８を抽出口３に連通させるべく、差込部１６を抽出口３に差し込みつつ内筒部１４を首部１１に係止させることにより、その頂板１２や外筒部１５等で抽出口３周囲を取り囲んで、容器本体２の上部に被せて装着されるようになっている。
【００１９】
蓋体５は、外形輪郭が頂板１２の外形輪郭に一致させて形成された天板１９と、天板１９の外周縁から垂下させて形成された環状周壁２０とから、全体として皿状に形成される。天板１９の中央部には、抽出孔部１８に挿抜自在に挿入され、これにより抽出口３を開閉自在に閉じる栓体２１が突出形成される。
【００２０】
栓体２１は、弾性変形可能に中空軸体状に形成されるとともに、その周囲に環状突起２２が形成され、抽出孔部１８に挿入される際、抽出孔部１８上部のテーパ面２３に対し柔軟に変形しつつその内部へ進入して、環状突起２２が抽出孔部１８内の段付き部２４に係脱自在に係合されるようになっていて、これにより抽出孔部１８、ひいては抽出口３が栓体２１によって液密に閉じられるとともに、キャップ本体４の頂板１２上に蓋体５の環状周壁２０が液密に重ね合わされるようになっている。この際、環状周壁２０によって、キャップ本体４の頂板１２上には、蓋体５の天板１９との間に空隙Ｓが形成されるようになっている。
【００２１】
ヒンジ機構８はいわゆるスナップヒンジと称されるもので、本体側ヒンジブロック２５および蓋側ヒンジブロック２６からなるヒンジ６と、弾性片７とから構成される。本体側ヒンジブロック２５および蓋側ヒンジブロック２６はそれぞれ、外筒部１５および環状周壁２０にその周方向に間隔を隔てて一対突出形成され、それらの突出側先端が互いに折り曲げ自在に連結されて、蓋体５がキャップ本体４に回動自在に連結される。
【００２２】
これらヒンジブロック２５，２６間には、キャップ本体４の外筒部１５と蓋体５とを接続する弾性変形自在な帯状の弾性片７が形成される。この弾性片７については、蓋体５の環状周壁２０から天板１９にわたって、蓋体５をキャップ本体４上に重ね合わせたときに形成される空隙Ｓに向かって当該蓋体５を貫通する一対のスリット２７が並設され、これらスリット２７の間に挟み込まれて、その一端７ａが蓋体５に一体的に形成される。また弾性片７の他端７ｂは、キャップ本体４の外筒部１５に一体的に連結される。
【００２３】
この弾性片７は、折り曲げ自在に連結されたヒンジブロック２５，２６の折り曲げ過程で、外筒部１５と蓋体５との間で伸縮自在に弾性変形され、伸びきった位置を境に、蓋体５に閉じる習性や開く習性を与え、これによりヒンジ６回りに蓋体５を回動させるようになっている。このヒンジ機構８の反対側には、蓋体５の環状周壁２０から外方へ庇状に突出させて、蓋体５を開ける際の手がかりとなる指掛け突片２８が形成される。
【００２４】
そして特に、キャップ本体４の側壁となる外筒部１５には、これを貫通させて貫通孔２９が形成される。本実施形態にあってはこの貫通孔２９は、ヒンジ機構８と反対側位置で、外筒部１５をその上端１５ａから下方へ相当の深さで溝状に切り欠くことによって形成される。従ってこの貫通孔２９は、外筒部１５に対してはこれを横方向に貫通して頂板１２直下で外筒部１５内部に連通されるとともに、これに加えて、頂板１２の外周縁で区画されることによって、キャップ本体４上に重ね合わされる蓋体５側へも連通される。
【００２５】
そしてまた、キャップ本体４と蓋体５との間には、蓋体５で抽出口３を閉じている状態で、貫通孔２９と蓋体５内部の空隙Ｓとを連通させる液密な流水路３０を形成する封鎖手段３１が設けられる。本実施形態にあってはこの封鎖手段３１は、貫通孔２９周囲の外筒部１５表面と、蓋体５に形成され、外筒部１５表面に液密に当接される板状のカバー３２とから構成される。カバー３２は貫通孔２９位置に対応させて、指掛け突片２８から外筒部１５表面上に垂下させて形成される。貫通孔２９周囲の外筒部１５表面には、これを窪ませて平坦面３３が形成されるとともに、カバー３２にも、この外筒体１５表面の平坦面３３に重ね合わされる平坦面３４が形成され、これら平坦面３３，３４同士が重ね合わされることにより、カバー３２と外筒部１５表面とが互いに液密に当接されるようになっている。
【００２６】
そしてカバー３２が外筒部１５表面に液密に当接されることにより、溝状に切り欠いて形成された貫通孔２９が外部から封鎖され、かつ当該貫通孔２９と空隙Ｓとの間に液密な流水路３０が形成されるようになっている。なお、図示例にあっては、環状壁部２０が貫通孔２９の直上に位置する関係上、当該環状壁部２０にはカバー３２から一連に、貫通孔２９を空隙Ｓと連通させる溝部３５が形成されている。上記実施形態にあっては、貫通孔２９は、外筒部１５にこれを溝状に切り欠いて形成されているが、これに代えて単に外筒部１５を横方向に貫通させて形成しても良く、この場合にはカバー３２に、貫通孔２９から空隙Ｓへ向かう上下方向の溝を形成するようにすればよい。
【００２７】
そして容器本体２は、これを逆さまにしてキャップ１、具体的には蓋体５の天板１９を載置面上に設置することにより、キャップ１で倒立状態に支持されて、立てて置かれるようになっている。
【００２８】
本実施形態にかかるキャップ１の作用について説明する。不使用時にキャップ１を下にして容器本体２を倒立させて置いておくと図４に示すように、容器本体２に付着している水は流下し、容器本体２の肩部１０とキャップ本体４の外筒部１５との間の隙間からキャップ本体４内部に流れ込む。流れ込んだ水はキャップ本体４の外筒部１５や内筒部１４、さらには頂板１２を伝って、外筒部１５に貫通形成した貫通孔２９に達する。
【００２９】
貫通孔２９周囲では、カバー３２と外筒部１５表面とがそれらの平坦面３３，３４で互いに液密に当接されていて、水は、これらカバー３２と外筒部１５表面とによって形成された流水路３０を介して、貫通孔２９から環状周壁２０の溝部３５へと流下し、キャップ本体４の頂板１２と蓋体５の環状周壁２０とによって封鎖された空隙Ｓに流れ込む。そしてこの空隙Ｓに流れ込んだ水は、蓋体５の環状周壁２０から天板１９にわたって形成されたスリット２７を介して、外部へと流出されることになり、これによってキャップ本体４内部に水が溜まることを防止することができる。
【００３０】
他方、容器本体２から抽出物を抽出する際には、通常通りヒンジ機構８を介して、キャップ本体４に対し蓋体５を回動させて栓体２１を抽出孔部１８から抜き出して開放すれば、抽出口３から抽出孔部１８を介して抽出物を取り出すことができ、取り出し後は抽出孔部１８周りの頂板１２上面を拭うなどし、その後、蓋体５を回動させてキャップ本体４上に重ね合わせれば、抽出孔部１８が栓体２１で閉じられるとともに、環状周壁２０が頂板１２に当接されて空隙Ｓが形成され、またさらにカバー３２が外筒部１５表面に当接されて液密な流水路３０が形成される。
【００３１】
以上説明した本実施形態にかかるキャップ１にあっては、キャップ本体４の外筒部１５に貫通孔２９を形成する一方で、封鎖手段３１により、当該貫通孔２９と空隙Ｓとを連通させる液密な流水路３０を形成するようにしていて、このように貫通孔２９を外筒部１５に形成したので、蓋体５を開いたときに貫通孔２９やその周りに付着し得る汚れがあまり目立つことがなく、良好な外観を得ることができるとともに、頂板１２上の抽出孔部１８から抽出物を拭い取る際に、抽出物が貫通孔２９まで達する可能性を少なくすることができて、貫通孔２９が抽出物で目詰まりすることを防止することができる。
【００３２】
さらに、蓋体５で抽出口３を閉じている状態では、封鎖手段３１により貫通孔２９と空隙Ｓとを連通させる液密な流水路３０を形成することができるので、これにより蓋体５を閉じている状態では、貫通孔２９を介してキャップ本体４内部が外部と直接連通されないようにして、キャップ本体４内部への水の流入を阻止できる。
【００３３】
図５には、他の実施形態が示されていて、この実施形態にあっては、貫通孔２９および封鎖手段３１がヒンジ機構８と指掛け突片２８との間の中間位置に形成されている。このようにこれら貫通孔２９等は、蓋体５およびキャップ本体４の周方向適宜位置に形成することができ、このような実施形態にあっても上記実施形態と同様な作用・効果を奏することはもちろんである。
【００３４】
【発明の効果】
以上要するに、本発明にかかるキャップにあっては、外観が良好であって、抽出物による目詰まりを防止でき、かつまた蓋体を閉じている状態ではキャップ本体内部が外部と直接連通されることがなく、これに水が流入することを阻止することができる。
【図面の簡単な説明】
【図１】本発明にかかるキャップの好適な一実施形態を、容器本体へ装着した状態で示す斜視図である。
【図２】図１のキャップの蓋体を開いた状態を示す斜視図である。
【図３】図２のキャップを開いた状態の側断面図である。
【図４】図１のキャップを閉じて、容器本体を倒立させた状態の側断面図である。
【図５】本発明にかかるキャップの他の実施形態を、容器本体へ装着した状態で示す斜視図である。
【符号の説明】
１  キャップ                        ２  容器本体
３  抽出口                          ４  キャップ本体
５  蓋体                            ６  ヒンジ
７  弾性片                          １５  外筒部
２７  スリット                      ２９  貫通孔
３０  流水路                        ３１  封鎖手段
Ｓ  空隙
【図１】
2004250078.tif 000003
【図２】
2004250078.tif 000004
【図３】
2004250078.tif 000005
【図４】
2004250078.tif 000006
【図５】
2004250078.tif 000007